(57)【特許請求の範囲】
【請求項１】
柱と、固定具により前記柱の側面に固定された板材と、からなる壁に囲まれ、
階段用の桁材と、前記桁材に設けられた複数の踏板と、を有し、前記桁材が前記壁に隣接するように配置された階段を備える階段室の施工方法において、
所定箇所に前記柱を立設し、
前記桁材における前記柱の側面と対向することになる部位に、前記固定具より径が大きい穴を形成した前記階段を、前記桁材の側面が前記柱の側面から前記板材の厚さ以上の距離だけ離間するように設置し、
前記柱と前記桁材との間に前記板材を挿入し、
前記穴から、前記板材に前記固定具を打ち込むまたは螺入させることを特徴とする階段室の施工方法。
【請求項２】
請求項１に記載の階段室の施工方法において、
前記板材を、一側端部が前記柱の側面に当接するように挿入し、
他の板材を、他側端部が当該柱の側面に当接するとともに前記板材の一側端部に当接するように挿入し、
前記穴から、前記板材の一側端部及び前記他の板材の他側端部のそれぞれに前記固定具を打ち込むまたは螺入させることを特徴とする階段室の施工方法。
【請求項３】
請求項２に記載の階段室の施工方法において、
他の穴を、前記穴の上方または下方であって、前記穴よりも前記板材と前記他の板材との継目の側方にずらして形成することを特徴とする階段室の施工方法。
【請求項４】
請求項１から３の何れか一項に記載の階段室の施工方法において、
前記階段として、蹴込み板を有するものを設置し、
前記板材を固定した後、前記壁に、巾木を、前記踏板の端部上面および前記蹴込み板の端部側面に沿うように取り付けることを特徴とする階段室の施工方法。
【請求項５】
請求項１から４の何れか一項に記載の階段室の施工方法において、
前記板材として、石膏ボードを用いることを特徴とする階段室の施工方法。
【請求項６】
柱と、固定具により前記柱の側面に固定された板材と、からなる壁に囲まれ、
桁材と、前記桁材に設けられた複数の踏板と、を有し、前記桁材が前記壁に隣接するように配置された階段を備える階段室において、
前記桁材における前記柱と対向する部位には、前記固定具より径が大きい穴が形成され、
前記板材における前記穴から露出する部位および前記柱には前記固定具が打ち込まれまたは螺入されており、
前記階段は、前記壁に固定されていないことを特徴とする階段室。
【発明の詳細な説明】
【技術分野】
【０００１】
本発明は、階段室の施工方法、およびこの方法で施工された階段室に関する。
【背景技術】
【０００２】
住宅等の建物の施工方法として、従来、建物を構成する複数種類の部材を施工現場から離れた場所にある工場で組み立ててユニット化しておき、それを施工現場に運んで取り付けるようにした方法が知られている。ユニット化した部材としては、例えば、特許文献１に示すような、ささら桁と、踏板と、蹴込み板と、からなる階段ユニット等がある。こうすることで、階段ユニットを階段室に設置するだけで建物の階段を施工することができるので、施工の手間とコストを低減することができる。
【０００３】
また、特許文献１に示したような階段ユニットを用いた建物の施工においては、複数の柱に囲まれた階段室となる空間に階段ユニットを先に設置し、柱と階段ユニットの間にできる隙間に壁を構成する板材を後から挿入して固定することが多い。これは、板材が無い分だけ階段ユニットを運び入れるための作業空間を広くとることができる、高所の板材を取り付ける際にユニット階段を足場として利用できる、といった施工性の高さが理由となっている。
【先行技術文献】
【特許文献】
【０００４】
【特許文献１】特開２０１４−０２５３３４号公報
【発明の概要】
【発明が解決しようとする課題】
【０００５】
最近の住宅では、板材に石膏ボードを用いることが多い。石膏ボードは耐火性や防音性を備える反面、割れやすい部材であるため、柱に固定する際には、釘などの固定具を木材等の場合よりも間隔を短くして多く打ち付ける必要がある。ここで、上述したように板材を固定する前に階段ユニットを設置すると、板材の一部がささら桁に遮蔽されてしまうが、遮蔽されていない箇所に固定具を打ち込んだだけでは固定が不十分となる場合が多い。そこで、従来は、ささら桁から柱へと固定具を打ち込み、板材をささら桁ごと柱に固定していた。すなわち、階段ユニットが壁に固定されていた。
しかしながら、階段ユニットが壁に固定されてしまうと、階段を上り下りする際の振動が固定具を介して壁に伝わり易くなるので、当該壁に隣接する居室に足音が大きく響いてしまうことになる。
【０００６】
本発明は、上記課題に鑑みてなされたもので、ユニット式の階段を備える階段室において、施工の手間を増やすことなく、階段を上り下りする際の振動を壁に伝わりにくくすることを目的とする。
【課題を解決するための手段】
【０００７】
上記課題を解決するため、請求項１に記載の発明は、例えば、図１〜７に示すように、柱１１と、固定具１５により前記柱１１の側面に固定された板材１３，１３Ａと、からなる壁１０，１０Ａに囲まれ、桁材４１と、前記桁材４１に設けられた複数の踏板４２と、を有し、前記桁材４１が前記壁１０，１０Ａに隣接するように配置された階段４０を備える階段室２０の施工方法において、所定箇所に前記柱１１を立設し、前記桁材４１における前記柱１１の側面と対向することになる部位に、前記固定具１５より径が大きい穴４１ｄを形成した前記階段４０を、前記桁材４１の側面が前記柱１１の側面から前記板材１３，１３Ａの厚さ以上の距離だけ離間するように設置し、前記柱１１と前記桁材４１との間に前記板材１３，１３Ａを挿入し、前記穴４１ｄから、前記板材１３，１３Ａに前記固定具１５を打ち込むまたは螺入させることを特徴とする。
【０００８】
請求項１に記載の発明によれば、桁材４１に開けられた固定具１５の径よりも大きな穴４１ｄから固定具１５を用いて板材１３，１３Ａを柱１１に固定するので、階段４０の設置後に板材１３，１３Ａを挿入しても、板材１３，１３Ａだけを柱１１に固定することができるとともに、階段４０を壁１０，１０Ａに接しているだけの状態とすることができる。このため、階段４０を上り下りする際の振動が壁１０，１０Ａに伝達されにくくなるので、当該壁１０，１０Ａに隣接する居室等に足音を響きにくくすることができる。
【０００９】
請求項２に記載の発明は、請求項１に記載の階段室２０の施工方法において、例えば図２，３，５，７に示すように、前記板材１３，１３Ａを、一側端部が前記柱１１の側面に当接するように挿入し、他の板材１３，１３Ａを、他側端部が当該柱１１の側面に当接するとともに前記板材１３，１３Ａの一側端部に当接するように挿入し、前記穴４１ｄから、前記板材１３，１３Ａの一側端部及び前記他の板材１３，１３Ａの他側端部のそれぞれに前記固定具１５を打ち込むまたは螺入させることを特徴とする。
【００１０】
請求項２に記載の発明によれば、穴４１ｄから、隣接する２枚の板材１３，１３Ａの周縁部が継目Ｊ１，Ｊ２を挟んで露出するので、一つの穴で２枚の板材１３，１３Ａを留めることができる。このため、穴の数を増やし過ぎて桁材４１の強度を必要以上に落とすこと無く、施工の手間を低減することができる。
【００１１】
請求項３に記載の発明は、請求項２に記載の階段室２０の施工方法において、例えば図２，３に示すように、他の穴４１ｅを、前記穴４１ｄの上方または下方であって、前記穴４１ｄよりも前記板材１３，１３Ａと前記他の板材１３，１３Ａとの継目Ｊ１，Ｊ２の側方にずらして形成することを特徴とする。
【００１２】
請求項３に記載の発明によれば、複数の穴４１ｄ，４１ｅを利用して板材１３，１３Ａを複数個所で固定できる。また、穴４１ｄの真上に何らかの障害物が存在し、固定具１５を打ち込む／螺入させることも穴４１ｄを形成することもできない場合であっても、板材１３，１３Ａまたは他の板材１３，１３Ａの固定が不十分になるのを防ぐことができる。
【００１３】
請求項４に記載の発明は、請求項１から３の何れか一項に記載の階段室２０の施工方法において、前記階段４０として、蹴込み板４３を有するものを設置し、前記板材１３，１３Ａを固定した後、前記壁１０，１０Ａに、巾木５０を、前記踏板４２の端部上面および前記蹴込み板４３の端部側面に沿うように取り付けることを特徴とする。
【００１４】
請求項４に記載の発明によれば、蹴込み板４３によって桁材４１や桁材４１に開けられた穴４１ｄが遮蔽されるとともに、巾木５０によって壁１０，１０Ａと階段４０との間に生じる隙間が遮蔽されるので、階段室２０の見栄えを良くすることができる。
【００１５】
請求項５に記載の発明は、請求項１から４の何れか一項に記載の階段室２０の施工方法において、前記板材１３，１３Ａとして、石膏ボードを用いることを特徴とする。
【００１６】
石膏ボードは建材として広く流通する安価な材料なので、請求項５に記載の発明によれば、容易にかつ低コストで壁を施工することができる。また、石膏ボードは防音性を有するので、階段４０を上り下りする際の振動がより一層壁１０，１０Ａに伝達されにくくなる。
【００１７】
請求項６に記載の発明は、柱１１と、固定具１５により前記柱１１の側面に固定された板材１３，１３Ａと、からなる壁１０，１０Ａに囲まれ、桁材４１と、前記桁材４１に設けられた複数の踏板４２と、を有し、前記桁材４１が前記壁１０，１０Ａに隣接するように配置された階段４０を備える階段室２０において、前記桁材４１における前記柱１１と対向する部位には、前記固定具１５より径が大きい穴４１ｄが形成され、前記板材１３，１３Ａにおける前記穴４１ｄから露出する部位および前記柱１１には前記固定具１５が打ち込まれまたは螺入されており、前記階段４０は、前記壁１０、１０Ａに固定されていないことを特徴とする。
【００１８】
請求項６に記載の発明によれば、板材１３，１３Ａだけが柱１１に固定され、階段４０は壁１０，１０Ａに接しているだけの状態となっているので、階段４０を上り下りする際の足音が壁１０に伝達されず、当該壁１０，１０Ａに隣接する居室等に足音を響きにくくすることができる。
【発明の効果】
【００１９】
本発明によれば、ユニット式の階段を備える階段室において、施工の手間を増やすことなく、階段を上り下りする際の振動を壁に伝わりにくくすることができる。
【図面の簡単な説明】
【００２０】
【図１】本発明の実施形態に係る建物の内部を示した平面図である。
【図２】図１のII−II断面図である。
【図３】図２のIII−III断面図である。
【図４】図１の建物に設けられた階段を構成する桁材の一例を示した側面図である。
【図５】図２の部分拡大図である。
【図６】同実施形態の変形例に係る建物の内部を示した平面図である。
【図７】図６のVII−VII断面図である。
【発明を実施するための形態】
【００２１】
以下、図面を参照して、本発明の実施の形態について詳細に説明する。
【００２２】
〔建物の構造〕
まず、本実施形態に係る建物１の構造について説明する。図１は建物１の内部を示した平面図、図２は図１のII−II断面図、図３は図２のIII−III断面図、図４は図１の建物に設けられた階段を構成するささら桁４１（桁材）の側面図、図５は図２のＶが付された破線で囲まれた部分を、図２とは反対側（紙面の裏側）から見たときの拡大図である。
【００２３】
本実施形態の建物１は、複数階建てとなっている。建物１の内部は、複数の壁１０，１０Ａによって複数の空間に仕切られ、そのうちの一つの空間が、図１に示すように階段室２０となっている。階段室２０は、図２に示すように、建物１の上階ＦＵと下階ＦＬとの間に跨って設けられている。そして、階段室２０には、廻り階段ユニット３０と、直階段ユニット４０（階段）と、巾木５０と、が備えられている。
【００２４】
階段室２０を囲む本実施形態の壁には２種類ある。具体的には、階段室２０内において、直階段ユニット４０を上る者から見て右手（図１の上方）や、廻り階段ユニット３０を上る者から見て左手（図１の右方）に設けられた内壁１０と、直階段ユニット４０を上る者から見て左手（図１の下方）に設けられた界壁１０Ａである。
【００２５】
各内壁１０は、図１に示したように、複数の柱１１と、下地材１２と、複数の板材１３と、断熱材１４と、固定具１５（釘やビス等）と、で構成されている。
各柱１１は、階段室２０の周囲に、互いに所定間隔を空けて鉛直上方に延びるように立設されている。
下地材１２は、ある柱１１から固定具１５のピッチだけ離れた箇所に隣の柱が無い場合等に、板材１３を固定するために設けられる角材である。下地材１２を複数設ける場合は、図１の界壁１０Ａにおいて示したように、千鳥配置にするとよい。すなわち、壁１０の階段室２０側寄りに立設されたものと、壁１０を隔てて階段室２０と隣接する空間寄りに立設されたものが水平方向に交互に並ぶようにする。なお、柱１１が十分な本数立設されている場合には下地材１２は不要である。
【００２６】
板材１３は、石膏ボードであり、耐火性、防音性を有するという利点がある反面、割れやすく、多くの固定具１５を用いて固定する必要がある。板材１３の正面視形状は、所定の幅、高さを有する矩形となっている。各板材１３は、一方の長辺に沿う周縁部を柱１１または下地材１２の側面に当接させるとともに、他方の長辺に沿う周縁部を隣接する柱１１または下地材１２に当接させ、かつ、互いの長辺が接するようにして配置されている。すなわち、板材１３と隣接する板材１３との継目Ｊ１が柱１１の側面と重なるようになっている。そして、各板材１３は、周縁部および他の固定が必要な部位に固定具１５が打ち込まれる／螺入されることによって柱１１や下地材１２に固定されている。
断熱材１４は、柱１１及び板材１３に囲まれた空間内に充填されている。
【００２７】
界壁１０Ａは、他の部屋との境界となる壁で、内壁１０と同様、複数の柱１１と、複数の下地材１２と、断熱材１４と、固定具１５（釘やビス等）と、を備えているが、板材１３の構成が異なっている。具体的には、界壁１０Ａの板材１３Ａは、石膏ボードを２枚重ねにすることにより、内壁１０の板材１３よりも厚いものとなっている。これにより内壁１０よりも防音性や耐火性が高められている。また、板材１３Ａを構成する石膏ボードは、界壁１０Ａの内側と外側とで固定位置が水平方向に固定具１５のピッチ分（例えば石膏ボードの横幅の半分の距離）だけずれている。すなわち、図２，３に示すように、界壁１０Ａの内側に位置する内側石膏ボード１３ａの継目Ｊ１と内側石膏ボード１３ａの外側に重ねられた外側石膏ボード１３ｂの継目Ｊ２が一致しないようになっている。これにより、継目を一致させた場合よりも防音性や耐火性が高められている。そして、内側石膏ボード１３ａは、周縁部および他の固定が必要な部位に固定具１５が打ち込まれる／螺入されることによって柱１１や下地材１２に固定されている。また、外側石膏ボード１３ｂは、周縁部および内側石膏ボード１３ａの継目Ｊ１と重なる部位に、固定具１５が、内側石膏ボード１３ａのみを固定する固定具１５の側方または上下方に僅かにずれるようにして打ち込まれる／螺入されることによって柱１１や下地材１２に固定されている。
【００２８】
このように構成された壁１０，１０Ａは、下地材１２の千鳥配置および石膏ボード１３ａ，１３ｂにより防音性が高められている。また、断熱材１４により断熱性と共に防音性も向上している。
【００２９】
廻り階段ユニット３０は、図２に示したように、支持台３１と、複数の踏板３２と、複数の蹴込み板３３と、で構成されている。
支持台３１は、複数の支持部３１ａ〜３１ｃで構成されている。各支持部３１ａ〜３１ｃは、上面が水平かつ階段のそれぞれの段の高さよりも踏板３２の厚さ分だけ低くなるよう構成されている。最上段を構成する支持部３１ｃの上面端部は、直階段ユニット４０の下端部を載置するための載置部３１ｄとなっている。
各踏板３２は、図１に示したように、略正方形を一角から放射状に延びる直線で切り取った形状をしており、支持台３１の各支持部３１ａ〜３１ｃの上面に固定されている。
各蹴込み板３３は、対応する踏板３２の形状に応じた幅を有する矩形に形成されている。各蹴込み板３３は、各踏板３２の下に固定されている。
【００３０】
直階段ユニット４０は、図２に示したように、一対のささら桁４１（桁材）と、複数の踏板４２と、複数の蹴込み板４３と、で構成されている。
各ささら桁４１は、図４に示すように、短手方向端部が、直階段ユニット４０を階段室２０に設置した時に水平となる複数の踏板取付面４１ａと、踏板取付面４１ａと略直交する複数の蹴込み板取付面４１ｂと、によってジグザグに形成されている。また、各ささら桁４１の長手方向端部には、係合部４１ｃが形成されている。
【００３１】
また、各ささら桁４１には、穴４１ｄが複数形成されている。穴４１ｄは、直階段ユニット４０を階段室２０に設置したときに、柱１１の側面または下地材１２の側面と対向する部位に、踏板取付面４１ａと並行（水平方向）に延びるように形成されている。従って、穴４１ｄの配置は、柱１１や下地材１２の立設間隔に応じて、左右のささら桁４１で同じになる場合もあれば、図１に示したように左右で異なる場合もある。また、各穴４１ｄの形状は、短手（鉛直）方向の幅が、固定具１５の頭部の直径よりも大きく、長手（水平）方向の幅が、固定具１５の頭部の直径の２倍よりも大きくなっている。
【００３２】
各踏板４２は、幅が一対のささら桁４１の外側を向く両側面の距離と略等しい矩形となっている。各踏板４２は、両端部を一対のささら桁４１の踏板取付面４１ａに載置させた状態でささら桁４１に固定されている。
各蹴込み板４３は、踏板４２と幅が等しい矩形となっている。各踏板４２は、両端部を一対のささら桁４１の蹴込み板取付面４１ｂに当接させた状態でささら桁４１に固定されている。
【００３３】
このように構成された直階段ユニット４０は、図２に示したように、一対のささら桁４１の各他端部が廻り階段ユニット３０の載置部３１ｄに載置されるとともに、各係合部４１ｃが建物１の二階を構成する二階躯体６０（柱の上端部や梁、床パネル等）に係合することにより、階段室２０に設置されている。また、板材１３，１３Ａの一部はささら桁４１に遮蔽され、穴４１ｄからは、板材１３，１３Ａの一部およびこの部分から柱１１または下地材１２へと打ち込まれた／螺入された固定具１５の頭部が露出している。特に、穴４１ｄが２枚の板材１３，１３Ａの継目Ｊ１，Ｊ２に重なる場合、図５に示すように、互いに接する２枚の板材１３の周縁部およびそれぞれの板材１３，１３Ａに固定された２つの固定具１５の頭部が露出することになる。
【００３４】
巾木５０は、踏板３２，４２の上面、および蹴込み板３３，４３の側面に沿うジグザグの帯状に形成され、壁１０，１０Ａに固定されている。これにより、壁１０，１０Ａと廻り階段ユニット３０との間、或いは壁１０，１０Ａと直階段ユニット４０との間に僅かにできる隙間が遮蔽されている。
【００３５】
このように構成された本実施形態の建物１は、直階段ユニット４０が壁１０，１０Ａに固定されておらず、壁１０，１０Ａと接しただけの状態となっている。このため、壁１０，１０Ａに固定されている場合に比べて直階段ユニット４０を人が上り下りした時の振動が壁１０に伝達しにくく、壁１０，１０Ａを介して隣接する居室に足音が響きにくくなっている。
【００３６】
〔建物の施工方法〕
次に、上述した階段室２０を有する建物１を施工する方法について説明する。
まず、工場において、廻り階段ユニット３０および直階段ユニット４０を組み立てる。このとき、設計図を参照して、一対のささら桁４１には、柱１１および／または下地材１２の側面と対向することになる箇所に穴４１ｄを予め形成しておく。こうすることで、穴４１ｄの形成位置がそのまま固定具１５を打ち込む／螺入させる箇所となるので、位置決めの手間が省け、後の固定作業が容易になる。
【００３７】
なお、板材１３，１３Ａの継目Ｊ１，Ｊ２が蹴込み板４３の側方を通る場合（図２の係合部４１ｃ近傍を参照）には、当該蹴込み板の下方の部位に穴４１ｄを形成することになるが、ささら桁４１における蹴込み板取付面４１ｂの下方の部位は細く、ここに穴４１ｄを複数形成することは強度の関係上困難である。このような場合には、図４に示したように、ささら桁４１における蹴込み板取付面４１ｂの側方（係合部４１ｃ寄り）の部位に一方の板材１３，１３Ａのみを固定するための穴４１ｅを形成すればよい。
【００３８】
階段ユニット３０，４０の製造と並行して、施工現場では、柱１１を複数本立設するとともに、必要に応じて下地材１２を立設する。その後、廻り階段ユニット３０を運び入れ、建物の一階を構成する一階躯体７０の所定箇所に載置する。次に、直階段ユニット４０を運び入れ、下端部を廻り階段ユニット３０の載置部３１ｄに、ささら桁４１が内壁１０を構成する柱１１や下地材１２と接するように載置するとともに、係合部４１ｃを二階躯体６０に係合させることにより階段室２０に設置する。この時、界壁１０Ａを構成する柱１１や下地材１２と直階段ユニット４０との間には、石膏ボード三枚分の厚さよりも僅かに（数ｍｍ程度）長い幅の隙間ができる。
【００３９】
次に、柱１１や下地材１２と廻り階段ユニット３０との隙間に複数の板材１３を挿入し、従来通りの方法で固定していく。そして、柱１１や下地材１２と直階段ユニット４０との隙間に複数の板材１３、内側石膏ボード１３ａを挿入し、固定具１５を用いて柱１１や下地材１２に固定していく。このとき、隣接する内側石膏ボード１３ａと内側石膏ボード１３ａとの継目Ｊ１が柱１１の側面或いは下地材１２の側面に接するように内側石膏ボード１３ａを並べていく。こうすることで、ささら桁４１の各穴４１ｄからは、２枚の内側石膏ボード１３ａの周縁部およびこれらの継目Ｊ１が露出することになり、２枚の板材１３の周縁部を一つの穴４１ｄから固定することができる。なお、内側石膏ボード１３ａのうち、ささら桁４１と重ならない部位については、従来通り直接固定具１５で固定する。また、高所における内側石膏ボード１３ａの固定は、設置した階段ユニット３０，４０を足場にして行う。
【００４０】
次に、複数の外側石膏ボード１３ｂを、継目Ｊ２が内側石膏ボード１３ａの継目Ｊ１から固定具１５のピッチ分だけずらして挿入する。そして、外側石膏ボード１３ｂを固定具１５を用いて柱１１や下地材１２に固定していく。穴４１ｄから臨む外側石膏ボード１３ｂの向こう側には、既に内側石膏ボード１３ａを固定している固定具１５が存在しているので、その固定具１５と干渉しないように注意しながら新たに固定具１５を打ち込む／螺入させて外側石膏ボード１３ｂを固定する。
【００４１】
板材１３Ａの固定を終えたら、直階段ユニット４０Ａ，４０Ｂを界壁１０Ａに当接するまで移動させ、内壁１０を構成する柱１１や下地材１２と直階段ユニット４０との間に板材１３を挿入するための隙間を形成する。そして、その隙間に板材１３を挿入し、界壁１０Ａの内側石膏ボード１３ａと同様にして固定する。壁１０，１０Ａの施工を終えたら、壁１０，１０Ａと階段ユニット３０，４０との間にできる隙間を塞ぐように巾木５０を取り付ける。こうして、直階段ユニット４０が壁１０，１０Ａに固定されていない階段室２０を有する建物１が施工される。
【００４２】
以上のように、上記実施形態では、柱１１と、固定具１５により柱１１の側面に固定された板材１３，１３Ａと、からなる壁１０，１０Ａに囲まれ、階段用のささら桁４１（桁材）と、ささら桁４１に設けられた複数の踏板４２と、を有し、ささら桁４１が壁１０，１０Ａに隣接するように配置された直階段ユニット４０（階段）と、を備える建物１の施工方法において、所定箇所に柱１１を立設し、ささら桁４１における柱１１の側面と対向することになる部位に、固定具１５より径が大きい穴４１ｄを形成し、直階段ユニット４０を、ささら桁４１の側面が柱１１の側面から板材１３の厚さ以上の距離だけ離間するように設置し、柱１１とささら桁４１との間に板材１３を挿入し、穴４１ｄから、板材１３に固定具１５を打ち込むまたは螺入させるようにした。
【００４３】
こうすることで、ささら桁４１に開けられた固定具１５の径よりも大きな穴４１ｄから固定具１５を用いて板材１３，１３Ａを柱１１に固定するので、直階段ユニット４０の設置後に板材１３，１３Ａを挿入しても、板材１３，１３Ａだけを柱１１に固定することができるとともに、直階段ユニット４０を壁１０，１０Ａに接しているだけの状態とすることができる。このため、直階段ユニット４０を上り下りする際の振動が壁１０、１０Ａに伝達されにくくなるので、当該壁１０，１０Ａに隣接する居室等に足音を響きにくくすることができる。
【００４４】
また、上記実施形態では、板材１３を、一側端部が柱１１の側面に当接するように挿入し、他の板材１３を、他側端部が当該柱１１の側面に当接するとともに板材１３，１３Ａの一側端部に当接するように挿入し、穴４１ｄから、板材１３，１３Ａの一側端部及び他の板材１３，１３Ａの他側端部のそれぞれに固定具１５を打ち込むまたは螺入させるようにした。
こうすることで、穴４１ｄから、隣接する２枚の板材１３，１３Ａの周縁部が継目Ｊ１，Ｊ２を挟んで露出するので、一つの穴で２枚の板材１３，１３Ａを留めることができる。このため、穴の数を増やし過ぎてささら桁４１の強度を必要以上に落とすこと無く、施工の手間を低減することができる。
【００４５】
また、上記実施形態では、他の穴４１ｅを、穴４１ｄの上方または下方であって、穴４１ｄよりも板材１３，１３Ａと他の板材１３との継目Ｊ１，Ｊ２の側方にずらして形成するようにした。
こうすることで、複数の穴４１ｄ，４１ｅを利用して板材１３，１３Ａを複数個所で固定できる。また、穴４１ｄの真上に蹴込み板４３等が存在し、固定具１５を打ち込む／螺入させることも穴４１ｄを形成することもできない場合であっても、板材１３，１３Ａまたは他の板材１３，１３Ａの固定が不十分になるのを防ぐことができる。
【００４６】
また、上記実施形態では、直階段ユニット４０として、蹴込み板４３を有するものを設置し、板材１３，１３Ａを固定した後、壁１０，１０Ａに、巾木５０を、踏板４２の端部上面および蹴込み板４３の端部側面に沿うように取り付けるようにした。
こうすることで、蹴込み板４３によってささら桁４１やささら桁４１に開けられた穴４１ｄが遮蔽されるとともに、巾木５０によって壁１０，１０Ａと直階段ユニット４０との間に生じる隙間が遮蔽されるので、階段室２０の見栄えを良くすることができる。
【００４７】
また、上記実施形態では、板材１３，１３Ａとして、石膏ボードを用いるようにした。
石膏ボードは建材として広く流通する安価な材料なので、こうすることで、容易にかつ低コストで壁を施工することができる。また、石膏ボードは防音性を有するので、直階段ユニット４０を上り下りする際の振動がより一層壁１０，１０Ａに伝達されにくくなる。
【００４８】
〔変形例〕
以上、本発明を実施形態に基づいて具体的に説明してきたが、本発明は上記実施形態に限定されるものではなく、その要旨を逸脱しない範囲で変更可能である。
例えば、上記実施形態では、廻り階段ユニット３０と直階段ユニット４０を一つずつ備えた略直線上の階段を例に説明したが、図６，７に示したように、廻り階段としてもよい。具体的には、２つの直階段ユニット４０Ａ，４０Ｂと、廻り階段ユニット３０と、踊場ユニット８０と、を備えるようにし、階段室２０内において、２つの直階段ユニット４０Ａ，４０Ｂの間に内壁１０設けるとともに、階段室２０の周囲に界壁１０Ａを設けるようにしてもよい。
また、上記実施形態では、直階段ユニット４０を、ささら桁に踏板を載置して固定したものとしたが、穴または溝を有する側桁に踏板の両端を差し込んで固定したものとしてもよい。
また、上記実施形態では、直階段ユニット４０を、上端部を二階躯体６０に係合させるものとしたが、上端部から鉛直下方に延びる支持部材を備えることにより、二階躯体６０に係合させることなく自立できるものとしてもよい。
また、上記実施形態では、蹴込み板３３，４３を有する階段ユニット３０，４０としたが、蹴込み板を有さないものであってもよい。
また、上記実施形態では、穴４１ｄ，４１ｅを全て長穴としたが、固定具を一つしか用いない箇所に設けるものについては丸穴としてもよい。
また、上記実施形態では、一対のささら桁４１の間に踏板４２および蹴込み板４３を備えた直階段ユニット４０，４０Ａ，４０Ｂを用いたが、ささら桁４１を踏板４２および蹴込み板４３の一端側にだけ備え、他端側は柱や台で支えられたものでもよい。
また、上記実施形態の階段は、複数階建ての建物の上階と下階とに跨るものとしたが、同一階における高さの異なる床面に跨るものとしてもよい。
また、上記実施形態の階段は、四方を壁１０，１０Ａに囲まれたものとしたが、少なくともささら桁４１の側方に壁１０，１０Ａを有するものであればよい。
【符号の説明】
【００４９】
１    建物
１０  内壁（壁）
１０Ａ      界壁（壁）
１１  柱
１２  下地材
１３，１３Ａ      板材
１３ａ      内側石膏ボード
１３ｂ      外側石膏ボード
１４  断熱材
１５  固定具
２０  階段室
３０  廻り階段ユニット
３１  支持台
３１ａ-３１ｃ     支持部
３１ｄ      載置部
３２  踏板
３３  蹴込み板
４０，４０Ａ，４０Ｂ    直階段ユニット（階段）
４１  ささら桁（桁材）
４１ａ      踏板取付面
４１ｂ      蹴込み板取付面
４１ｃ      係合部
４１ｄ      穴
４１ｅ      穴（他の穴）
４２  踏板
４３  蹴込み板
５０  巾木
６０  二階躯体
７０  一階躯体
８０  踊場ユニット
ＦＬ  下階
ＦＵ  上階
Ｊ１，Ｊ２  継目
【図１】
0006480774.tif 000002
【図２】
0006480774.tif 000003
【図３】
0006480774.tif 000004
【図４】
0006480774.tif 000005
【図５】
0006480774.tif 000006
【図６】
0006480774.tif 000007
【図７】
0006480774.tif 000008